(57)【特許請求の範囲】
【請求項１】
ファブリックを車両シートに固定するための締縛用コードアセンブリであって、
トンネル部分と、前記ファブリックに装着されるように構成されたフラット部分とを包含するウェビングと、
複数のスロット区分と複数のフラット区分とを包含するコードであって、前記フラット区分の１つにより隣接のスロット区分が分離され、各スロット区分が上側部分と下側部分とを包含する、コードと、
を包含し、
前記コードが前記ウェビングの前記トンネル部分の中に収容されて、前記ウェビングに沿って所定の間隔で前記トンネル部分から織り出されるとともに前記トンネル部分へ再び織り込まれ、
第１装着方法では前記ウェビングの２つの端部の間において前記シートの下面に装着されるように前記コードが構成されるとともに、前記第１装着方法と異なる第２装着方法では前記ウェビングの前記２つの端部において前記シートに装着されるように前記コードが構成される、締縛用コードアセンブリ。
【請求項２】
前記第２装着方法が、ループを形成するように前記スロット区分の１つの前記上側部分を前記スロット区分の前記下側部分から分離することを包含し、前記シートの前記下面と関連する構成要素に装着されるように前記ループが構成される、請求項１の締縛用コードアセンブリ。
【請求項３】
前記第１装着方法が、前記シートの前記下面と関連する構成要素に前記コードを掛けることを包含する、請求項２の締縛用コードアセンブリ。
【請求項４】
前記コードがロール又はスプールにて用意される、請求項１の締縛用コードアセンブリ。
【請求項５】
前記締縛用コードアセンブリがロール又はスプールにて用意される、請求項１の締縛用コードアセンブリ。
【請求項６】
前記スロット区分の前記上側部分が、前記スロット区分の前記下側部分の引張特性と異なる引張特性を有する、請求項１の締縛用コードアセンブリ。
【請求項７】
前記スロット区分の前記上側部分がナイロンとポリエステルの一方である複数の縦糸を包含し、前記スロット区分の前記下側部分がナイロンとポリエステルの他方である複数の縦糸を包含する、請求項６の締縛用コードアセンブリ。
【請求項８】
前記コードが、複数の縦糸と第１横糸セットと第２横糸セットとを包含し、
前記フラット区分では、前記第１横糸セットと前記第２横糸セットの両方を用いて前記複数の縦糸が織り合わされ、
前記スロット区分では、前記スロット区分の前記上側部分を形成するように前記複数の縦糸の１部が前記第１横糸セットと織り合わされて、前記スロット区分の前記下側部分を形成するように前記複数の縦糸の残りが前記第２横糸セットと織り合わされる、請求項１の締縛用コードアセンブリ。
【請求項９】
複数のスロット区分と複数のフラット区分とを包含するコードを用意することであって、
前記フラット区分の１つにより隣接のスロット区分が分離され、前記スロット区分の各々が、一緒にループを画定する上側部分と下側部分とを包含することと、
締縛用コードアセンブリを形成するようにウェビングのトンネル部分の中に前記コードを用意することであって、所定の導出点で前記コードが前記ウェビングから織り出されるとともに、所定の導入点で前記コードが前記ウェビングに再び織り込まれることと、
前記締縛用コードアセンブリをファブリックに固定することと、
前記ウェビングの端部の間の様々な箇所において、前記所定の導出点で前記ウェビングから織り出された前記コードを、車両シートの下面に用意された係止具に固定することにより、前記ファブリックの一部分を前記車両シートの前記下面に装着することと、
前記ウェビングの端部又は端部付近において、前記スロット区分の１つの前記ループに沿って前記コードを切断して、前にあるスロット区分の前記ループを介して前記車両シートの前記下面に前記コードを装着することと、
を包含する、締縛用コードアセンブリの取付方法。
【請求項１０】
前記コードをスプール又はロールにて用意することをさらに包含する、請求項９の締縛用コードアセンブリの取付方法。
【請求項１１】
前記締縛用コードアセンブリをスプール又はロールにて用意することをさらに包含する、請求項９の締縛用コードアセンブリの取付方法。
【請求項１２】
前記ウェビングの端部の間において前記ウェビングを前記車両シートの前記下面に第１装着方法で装着することと、前記ウェビングの端部又は端部付近において前記ウェビングを前記車両シートの前記下面に第２装着方法で装着することとをさらに包含し、前記第１装着方法が前記第２装着方法と異なっている、請求項９の締縛用コードアセンブリの取付方法。
【請求項１３】
前記第２装着方法が、前記スロット区分の前記上側部分を前記スロット区分の前記下側部分から分離することと、前記ループを介して前記シートの前記下面に前記コードを装着することとを包含する、請求項１２の締縛用コードアセンブリの取付方法。
【請求項１４】
前記第１装着方法が、前記シートの前記下面と関連する係止具に前記コードを掛けることを包含する、請求項１２の締縛用コードアセンブリの取付方法。
【請求項１５】
前記所定の導出点の少なくともいくつかにおいて前記コードの少なくとも１つのスロット付き部分が前記ウェビングから織り出されるように、前記ウェビングに前記コードが織り込まれる、請求項９の締縛用コードアセンブリの取付方法。
【請求項１６】
前記ウェビングの前記トンネル部分に前記コードが織り込まれる、請求項９の締縛用コードアセンブリの取付方法。
【請求項１７】
フラット部分とチューブ状部分とを包含するファブリックと、
複数の縦糸と第１横糸セットと第２横糸セットとを包含するコードと、
を包含し、
前記コードの複数のフラット区分を形成するように前記第１横糸セットと前記第２横糸セットの両方を用いて前記複数の縦糸が織り合わされ、
前記コードのスロット区分の上側部分を形成するように前記複数の縦糸の１部が前記第１横糸セットと織り合わされるとともに、前記スロット区分の下側部分を形成するように前記複数の縦糸の残りが前記第２横糸セットと織り合わされ、また、前記スロット区分が複数設けられて、前記フラット区分が前記スロット区分を相互に分離し、
前記スロット区分の前記上側部分が、前記スロット区分の前記下側部分の第２引張特性と異なる第１引張特性を有し、
前記コードが前記ファブリックの中に収容される、締縛用コードアセンブリ。
【請求項１８】
前記上側部分の前記縦糸がナイロンとポリエステルの一方であって、前記下側部分の前記縦糸がナイロンとポリエステルの他方である、請求項１７の締縛用コードアセンブリ。
【請求項１９】
前記ファブリックの端部の間で第１装着手段を介して車両シートに装着されるように前記コードが構成されるとともに、前記ファブリックの端部又は端部付近において第２装着手段を介して前記車両シートに装着されるように前記コードが構成され、前記第２装着手段が前記第１装着手段と異なっている、請求項１８の締縛用コードアセンブリ。
【請求項２０】
前記第２装着手段が、ループを形成するように前記スロット区分の１つの前記上側部分を前記スロット区分の前記下側部分から分離することと、前記ループを介して前記コードを前記車両シートの下面に装着することとを包含する、請求項１９の締縛用コードアセンブリ。
【請求項２１】
ファブリックをシートに固定するための締縛用コードアセンブリであって、
複数のスロット区分と複数の接続区分とを包含して、前記接続区分の１つにより隣接のスロット区分が分離され、各スロット区分が上側部分と下側部分とを包含し、
前記スロット区分の１つにより形成される第２装着手段によりコードの２つの端部または端部付近で前記シートの下面に装着されるように前記コードが構成され、
前記スロット区分の１つの前記上側部分が前記スロット区分の１つの前記下側部分から分離されてループを形成し、前記シートの前記下面と関連する構成要素に装着されるように前記ループが構成され、
前記コードの高さが、前記接続区分において、前記コードの幅と類似している、締縛用コードアセンブリ。
【請求項２２】
第１装着手段により前記コードの前記２つの端部の間で前記シートの前記下面に装着されるように前記コードが構成され、前記第１装着手段が前記第２装着手段と異なっている、請求項２１の締縛用コードアセンブリ。
【請求項２３】
前記第１装着手段が、前記シートの前記下面と関連する係止具に前記コードを掛けることを包含する、請求項２２の締縛用コードアセンブリ。
【請求項２４】
前記スロット区分が前記コードの長さにわたって一定間隔で延在する、請求項２１の締縛用コードアセンブリ。
【請求項２５】
前記コードがロール又はスプールにて用意される、請求項２１の締縛用コードアセンブリ。
【請求項２６】
前記スロット区分の前記上側部分が前記スロット区分の前記下側部分の引張特性と異なる引張特性を有する、請求項２１の締縛用コードアセンブリ。
【請求項２７】
締縛用コードアセンブリの取付方法であって、
（ａ）前記締縛用コードアセンブリをロール又はスプールにて用意することであって、前記締縛用コードアセンブリが複数のスロット区分と複数の接続区分とを包含し、前記接続区分の１つにより隣接のスロット区分が分離され、各スロット区分が上側部分と下側部分とを包含することと、
（ｂ）シートカバーへの組み付けに適当な前記締縛用コードアセンブリの長さを決定することと、
（ｃ）前記締縛用コードアセンブリを前記適当な長さに切断することと、
（ｄ）前記スロット区分の１つの前記上側部分を前記スロット区分の前記下側部分から分離してループを形成することと、
（ｅ）前記締縛用コードアセンブリの２つの端部又は端部付近において、シートの下面と関連する構成要素を前記ループへ挿入することと、を包含する締縛用コードアセンブリの取付方法。
【請求項２８】
前記締縛用コードアセンブリの前記２つの端部の間において、前記シートの前記下面に設けられた１つ以上の係止具に前記締縛用コードアセンブリを掛けることをさらに包含する、請求項２７の締縛用コードアセンブリの取付方法。
【請求項２９】
前記スロット区分の１つで前記締縛用コードアセンブリを切断することをさらに包含し、
前記シートの前記下面と関連する前記構成要素を前記ループへ挿入するステップが、前記シートの前記下面と関連する前記構成要素を、切断された前記スロット区分の前にある前記スロット区分の前記ループへ挿入することを包含する、請求項２７の締縛用コードアセンブリの取付方法。
【発明の詳細な説明】
【技術分野】
【０００１】
実施形態は、概して、ファブリック又は他のカバー類をシート又は他の構造に装着するための締縛用コードアセンブリ及びその取付方法に関する。
【背景技術】
【０００２】
ファブリック又は他の適当なカバー類は、車両シートの組立中にシートの下部フレームに装着されるのが一般的である。一般的なシートフレームの下面は、フック又は柱など、複数の係止具を含む。いくつかの例では、コードを有するウェビングによってファブリックがフレームに装着される。すなわち、ウェビングがファブリックに縫着され、フレームに既設の係止具にコードを掛けることによりファブリックがシートに固定されるのである。このような構成では、加工ループ、圧着カラー、又は成形フックなどの装着手段を、コードの各端部が一般的に含み、ホグリングにより、又は他の方法でこの装着手段がシートの下面に固定されて、ウェビング及びファブリックのアセンブリをシートフレームに対して固定配置する。コードの端部は特殊な処理を必要とするため、ウェビングが使用される特定のシートに合わせて、ウェビングが予め製造されなければならない。すなわち、各ウェビング部材は、使用される特定シートに適合するように特定の長さで切断、加工されてから出荷されなければならないのである。異なる長さの部材を必要とする多数のシートカバー設計が存在するため、ユーザは部品数が多くサイズも多様なウェビングを注文する必要があり、これが在庫及び保管のコストを上げるばかりでなく、ユーザの施設におけるスペースの制約という結果を招く。
【発明の概要】
【発明が解決しようとする課題】
【０００３】
本特許で使用される「発明」、「かかる発明」、「本発明」、「当該発明」は、本特許及び以下の特許請求項の主題すべてを包括的に指すものとする。これらの語を含む記載が、ここで説明される主題を限定する、又は以下の特許請求項の意味及び範囲を制限することはないと理解されるべきである。本特許に包含される本発明の実施形態は、この要約ではなく以下の請求項により規定される。この要約は、本発明の様々な態様についての大まかな概要であって、以下の詳細な説明の節でさらに説明される概念のいくつかを紹介するものである。この要約は、請求項に記載の主題の主要又は本質的な特徴を特定することを意図されたものではなく、また請求項に記載の主題の範囲を判断する際に単独で使用されることを意図されたものでもない。主題は、本特許の明細書全体、図面の一部又は全部、及び各請求項の該当部分を参照することにより理解されるべきである。
【課題を解決するための手段】
【０００４】
一態様では、ファブリックを車両シートに固定するための締縛用コードアセンブリが提供され、かかるアセンブリは、トンネル部分とファブリックに装着されるように構成されたフラット部分とを包含するウェビングと、複数のスロット区分と複数のフラット区分とを包含するコードとを包含し、フラット区分の１つによって隣接のスロット区分が分離され、各スロット区分が上側部分と下側部分とを包含し、コードがウェビングのトンネル部分の中に収容されて、ウェビングに沿って所定の間隔でトンネル部分から織り出されるとともにトンネル部分へ再び織り込まれ、第１装着方法ではウェビングの２つの端部の間でシートの下面に装着されるようにコードが構成され、第１装着方法と異なる第２装着方法ではウェビングの２つの端部でシートに装着されるようにコードが構成される。
【０００５】
別の態様によれば、第２装着方法は、ループを形成するようにスロット区分の１つの上側部分をこのスロット区分の下側部分から分離することを包含し、シートの下面と関連する構成要素に装着されるようにループが構成される。
【０００６】
別の態様によれば、第１装着方法は、シートの下面と関連する構成要素にコードを掛けることを包含する。
【０００７】
別の態様によれば、コードがロール又はスプールにて用意される。
【０００８】
別の態様によれば、締縛用コードアセンブリがロール又はスプールにて用意される。
【０００９】
別の態様によれば、スロット区分の上側部分はスロット区分の下側部分の引張特性と異なる引張特性を有する。
【００１０】
別の態様によれば、ナイロンとポリエステルの一方である複数の縦糸をスロット区分の上側部分が包含し、ナイロンとポリエステルの他方である複数の縦糸をスロット区分が包含する。
【００１１】
別の態様によれば、複数の縦糸と第１横糸セットと第２横糸セットとをコードが包含し、コードのフラット区分では第１横糸セットと第２横糸セットの両方を用いて複数の縦糸が織り合わされ、コードのスロット区分では、スロット区分の上側部分を形成するように複数の縦糸の一部が第１横糸セットと織り合わされるとともに、スロット区分の下側部分を形成するように複数の縦糸の残りが第２横糸セットと織り合わされる。
【００１２】
また、複数のスロット区分と複数のフラット区分とを包含するコードを用意することであって、フラット区分の１つにより隣接のスロット区分が分離され、一緒にループを画定する上側部分と下側部分とをスロット区分の各々が包含することと、締縛用コードアセンブリを形成するようにウェビングのトンネル部分の中にコードを用意することであって、所定の導出点でコードがウェビングから織り出されるとともに、所定の導入点でコードがウェビングに再び織り込まれることと、締縛用コードアセンブリをファブリックに固定することと、ウェビングの端部の間の様々な箇所において、所定の導出点でウェビングから織り出されたコードを車両シートの下面に用意された係止具に固定することにより、車両シートの下面にファブリックの一部分を装着することと、ウェビングの端部又は端部付近において、スロット区分の１つのループに沿ってコードを切断して、前にあるスロット区分のループを介して車両シートの下面にコードを装着することと、を包含する、締縛用コードアセンブリの取付方法が提供される。
【００１３】
かかる方法の別の態様によれば、コードがスプール又はロールにて用意される。
【００１４】
かかる方法の別の態様によれば、締縛用コードアセンブリがスプール又はロールにて用意される。
【００１５】
かかる方法の別の態様によれば、第１装着方法ではウェビングの端部の間でウェビングが車両シートの下面に装着され、第２装着方法ではウェビングの端部又は端部付近でウェビングが車両シートの下面に装着され、第１装着方法は第２装着方法と異なっている。
【００１６】
かかる方法の別の態様によれば、第２装着方法は、スロット区分の上側部分をスロット区分の下側部分から分離することと、ループを介してシートの下面にコードを装着することとを包含する。
【００１７】
かかる方法の別の態様によれば、第１装着方法は、シートの下面と関連する係止具にコードを掛けることを包含する。
【００１８】
かかる方法の別の態様によれば、所定の導出点の少なくともいくつかでコードの少なくとも１つのスロット付き部分がウェビングから織り出されるように、ウェビングにコードが織り込まれる。
【００１９】
かかる方法の別の態様によれば、ウェビングのトンネル部分にコードが織り込まれる。
【００２０】
また、フラット部分とチューブ状部分とを包含するファブリックと、複数の縦糸と第１横糸セットと第２横糸セットとを包含するコードと、を包含し、コードの複数のフラット区分を形成するように第１横糸セットと第２横糸セットの両方を用いて複数の縦糸が織り合わされ、また、コードのスロット区分の上側部分を形成するように複数の縦糸の１部が第１横糸セットと織り合わされ、また、スロット区分の下側部分を形成するように複数の縦糸の残りが第２横糸セットと織り合わされ、また、スロット区分が複数設けられて、フラット区分がスロット区分を相互に分離し、また、スロット区分の上側部分が、スロット区分の下側部分の第２引張特性と異なる第１引張特性を有し、また、コードがファブリックの中に収容される、締縛用コードアセンブリが用意される。
【００２１】
別の態様によれば、上側部分の縦糸がナイロンとポリエステルの一方であって、下側部分の縦糸がナイロンとポリエステルの他方である。
【００２２】
別の態様によれば、ファブリックの端部の間で第１装着手段を介して車両シートに装着されるようにコードが構成され、また、ファブリックの端部又は端部付近では第２装着手段を介して車両シートに装着されるようにコードが構成され、第２装着手段が第１装着手段と異なっている。
【００２３】
別の態様によれば、第２装着手段は、ループを形成するようにスロット区分の１つの上側部分をこのスロット区分の下側部分から分離することと、ループを介してコードを車両シートの下面に装着することとを包含する。
【００２４】
また、ファブリックをシートに固定するための締縛用コードアセンブリであって、複数のスロット区分と複数の接続区分とを包含して、接続区分の１つにより隣接のスロット区分が分離され、各スロット区分が上側部分と下側部分とを包含し、スロット区分の１つにより形成される第２装着手段によりコードの２つの端部または端部付近でシートの下面に装着されるようにコードが構成され、スロット区分の１つの上側部分がスロット区分の１つの下側部分から分離されてループを形成し、シートの下面と関連する構成要素に装着されるようにループが構成され、コードの高さが、接続区分において、コードの幅と類似している。
【００２５】
別の態様によれば、第１装着手段によりコードの２つの端部の間でシートの下面に装着されるようにコードが構成され、第１装着手段が第２装着手段と異なっている。
【００２６】
別の態様によれば、第１装着手段が、シートの下面と関連する係止具にコードを掛けることを包含する。
【００２７】
別の態様によれば、係止具にコードを掛けることが、スロット区分の少なくとも１つの上側部分および下側部分の両方を係止具に掛けることを包含する。
【００２８】
別の態様によれば、スロット区分がコードの長さにわたって一定間隔で延在する。
【００２９】
別の態様によれば、コードがロール又はスプールにて用意される。
【００３０】
別の態様によれば、スロット区分の上側部分がスロット区分の下側部分の引張特性と異なる引張特性を有する。
【００３１】
また、締縛用コードアセンブリの取付方法であって、
（ａ）締縛用コードアセンブリをロール又はスプールにて用意することであって、締縛用コードアセンブリが複数のスロット区分と複数の接続区分とを包含し、接続区分の１つにより隣接のスロット区分が分離され、各スロット区分が上側部分と下側部分とを包含することと、
（ｂ）シートカバーへの組み付けに適当な締縛用コードアセンブリの長さを決定することと、
（ｃ）締縛用コードアセンブリを適当な長さに切断することと、
（ｄ）スロット区分の１つの上側部分をスロット区分の下側部分から分離してループを形成することと、
（ｅ）締縛用コードアセンブリの２つの端部又は端部付近において、シートの下面と関連する構成要素をループへ挿入することと、を包含する締縛用コードアセンブリの取付方法。
【００３２】
かかる方法の別の態様によれば、締縛用コードアセンブリの２つの端部の間において、シートの下面に設けられた１つ以上の係止具に締縛用コードアセンブリを掛けることをさらに包含する。
【００３３】
かかる方法の別の態様によれば、締縛用コードアセンブリを係止具に掛けることが、スロット区分の少なくとも１つの上側部分および下側部分の両方を係止具に掛けることを包含する。
【００３４】
かかる方法の別の態様によれば、スロット区分の１つで締縛用コードアセンブリを切断することをさらに包含し、シートの下面と関連する構成要素をループへ挿入するステップが、シートの下面と関連する構成要素を、切断されたスロット区分の前にあるスロット区分のループへ挿入することを包含する。
【図面の簡単な説明】
【００３５】
添付の請求項を実施する最良の態様を含み、当業者を対象とする充分かつ実施可能な開示が、明細書の以下の部分でより詳しく提示される。明細書では以下の添付の請求項を参照するが、異なる図での同様の参照番号の使用は、同様又は類似の構成要素を指すことを意図したものである。
【００３６】
【図１】一実施形態による締縛用コードアセンブリの一部分の写真である。
【図２】別の実施形態による締縛用コードアセンブリを図示したものである。
【図３】図１のアセンブリのコードの一部分の製織パターンの断面図である。
【図４】図１のアセンブリのコードを描写したものである。
【図５Ａ】コードのフラット区分における図１の締縛用コードアセンブリの断面図である。
【図５Ｂ】コードのスロット区分における図１の締縛用コードアセンブリの断面図である。
【図６】ファブリックにより組み立てられた車両シートの下面と一実施形態による締縛用コードアセンブリとの斜視図である。
【図７】一実施形態による締縛用コードアセンブリの製織プランである。
【図８】一実施形態による締縛用コードアセンブリの織り込み及び織り出し箇所についての製織パターンのピック図である。
【図９】一実施形態による締縛用コードアセンブリのドロー図である。
【図１０】一実施形態によるコードの製織パターンのピック図である。
【図１１】一実施形態によるコードの製織パターンのドロー図である。
【図１２】一実施形態による締縛用コードアセンブリの製織図である。
【図１３】一実施形態による締縛用コードアセンブリのドロー図である。
【図１４】一実施形態によるファブリックとともに組み立てられたコードの斜視図である。
【図１５】図１４のアセンブリの別の斜視図である。
【発明を実施するための形態】
【００３７】
提供されるのは、シート、家具、又は他の適当な構造にファブリック、布地、又はカバー類を組み付けるための締縛用コードアセンブリである。図１〜図２に示されているように、締縛用コードアセンブリ１０は、ウェビング１４と、ウェビング１４と混交されるコード１２とを含む。製織ウェビングの代わりに、ウェビング１４が皮革やビニル等、何らかの適当なファブリックであってもよい。図２に示されているように、ウェビング１４はトンネル（チューブ状とも呼ばれる）部分１８に隣接しているフラット部分１６を有する。コード１２はトンネル部分１８に収容され、所定の織り出し（導出口とも呼ばれる）箇所４６でトンネル部分１８から織り出されるとともに、所定の織り込み（導入口とも呼ばれる）箇所４８でトンネル部分１８へ織り込まれる（図１参照）。そのため、コード１２は、織り出し部分５４においてはウェビング１４の外側にあって、織り込み部分５６においてはウェビング１４の中に収容される（図２参照）。織り出し及び織り込み箇所の間の距離は、変化してもよい。いくつかの実施形態では、後でより詳しく説明するように締縛用コードアセンブリを汎用構造とするように、織り出し及び織り込み箇所が相互に離間している。織り出し箇所でウェビング１４から織り出されるコード１２の量とともに、ウェビング１４から織り出されるコードの特性も、変わり得る。例を挙げると、図１に図示されたウェビングから織り出されるコードの量及びコードの特性は、図２の実施形態とは異なっている（同様の構成要素を示すのに同様の参照番号が使用されてはいるが）。
【００３８】
図３〜図４は、製織コード１２を図示している。コード１２は、スロット区分２２によって相互に分離されたフラット区分２０を含む。各スロット区分２２は、一緒にループ２８を画定する上側部分２４と下側部分２６とを有する。図３に示されているように、スロット付きコード１２は、複数の縦糸４０と第１横糸セット４２と第２横糸セット４４とを含む。縦糸４０は、コード１２のフラット区分２０を形成するように第１横糸セット４２及び第２横糸セット４４を用いて織り合わされる。縦糸４０の一部はスロット区分２２の上側部分２４を形成するように第１横糸セット４２と織り合わされるのに対して、縦糸４０の残りはスロット区分２２の下側部分２６を形成するように第２横糸セット４４と織り合わされる。こうして、二重横糸挿入プロセスによりコード１２が形成される。いくつかの実施形態では、スロット区分２２はＺ形の杼口を用いて形成され、フラット区分２０は通常の杼口を用いて形成される。
【００３９】
いくつかの実施形態では、スロット区分２２の上側部分２４は、下側部分２６と異なる引張特性を有する。いくつかの例では、これは、異なる材料の縦糸が上側部分２４と下側部分２６とを構成することによる。例えば、いくつかの実施形態では、上側部分２４の縦糸はポリエステルかナイロンか弾性混合材料で製作されるが、下側部分２６の縦糸は他のポリエステルやナイロン、又は別の弾性混合材料から製作される。上側及び下側区分に異なる引張特性を付与すると、ループ２８を形成するように上側部分と下側部分とが自然に相互分離する。すなわち、ナイロン及びポリエステルは異なる伸長率と異なる回復率とを有し、そのため、上側部分及び下側部分の各々に異なる材料を用いるとこれらの部分を弾力的に離間させてループ２８を作り出すのである。代替的に、上側及び下側部分に異なるサイズの横糸材料を用いることにより、又は上側部分と下側部分とに異なる製織パターンを用いることにより、ループ２８が形成されてもよい。いくつかの実施形態では、上側部分２４と下側部分２６の両方の縦糸が同じ材料である（例えば、上側部分と下側部分の両方の縦糸がすべてナイロン、すべてポリエステル、又は他の適当な材料か材料の組合せであってもよい）。横糸は、ポリエステル、ナイロン、又は他の適当な材料か材料の組合せであればよい。
【００４０】
上述したコード１２は、ウェビング１４を作り出すように他の様々な縦糸及び横糸で織られる。図５Ａは、コード１２のフラット区分２０における締縛用コードアセンブリ１０の断面図であるのに対して、図５Ｂはコード１２のスロット区分２２における締縛用コードアセンブリ１０の断面図である。図５Ａに示されているように、コード１２は、コードの幅Ｗと実質的に同じである高さＨを有する。
【００４１】
図８は、ウェビング１４の織り出し及び織り込み部分５４，５６についての非限定的なピック図（チェーン図又はカム図案としても知られる）を示している。織り出し部分は図８で「Ｄｃｏｕｔ」と記され、織り込み部分は図８で「Ｄｃｉｎ」と記されている。水平方向横列のます目は横糸を表し、垂直方向縦列（織機のハーネスに対応）は縦糸グループを表す。図８のピック図は、９ハーネス織機を示し、ハーネス１〜４は、ウェビング１４のフラット部分１６を作り出す縦糸を収容し、ハーネス５はコード１２を収容し、ハーネス６〜９はウェビングのトンネル部分１８を作り出す縦糸を収容する。ます目が塗りつぶされている時には、縦糸が横糸の上になるように横糸が打ち込まれる際にハーネスが持ち上げられることを意味している。図８に示されているように、織り出しプロセス（Ｄｃｏｕｔ）中には、織り出し部分においてコード１２が縦糸と織り合わされないようにハーネス５が持ち上げられる。こうして、図１〜図２に示されているように、織り出し箇所４６でコード１２がウェビング１４から出る。いくつかの実施形態では、織り出し部分の場所（ゆえにコード１２がウェビング１４から出る場所）を簡単に見つけ出せるように、織り出し部分での製織パターンが変更されてもよい。例えば、織り出し部分のトンネル部分に綾織が用いられてもよい。これらの方針に沿って、アセンブリ１０を作り出すのに適当な製織が使用されるとよい。
【００４２】
図９の非限定的なドロー図は、締縛用コードアセンブリ１０の一実施形態を製造するためのハーネスにおける織糸の配置を示している。図８のピック図は、製織アセンブリを作り出すためのハーネスの動作を表している。図９の垂直軸は、この特定実施形態のウェビングを製作するのに使用される織機のハーネスを表している。この実施形態では、９個のハーネスが使用される。図９の水平軸は、アセンブリを製作するのに使用される織糸を表し、一番下のラインは、各セクションが繰り返される回数を示している。例えば、図９の第１縦列は、第１織糸が第６ハーネスフレームにあって第２織糸が第７ハーネスフレームにあることを示している。上述のように、ハーネス６〜９はウェビング１４のトンネル部分１８を作る縦糸を収容し、ハーネス１〜４はウェビング１４のフラット部分１６を作る縦糸を収容し、ハーネス５はコード１２を収容する。
【００４３】
締縛用コードアセンブリ１０の一実施形態の非限定的な製織プランが図７に図示されているが、適当なアセンブリを作り出すのに多様な製織プランが使用されてもよい。図７の製織プランは、（例えば図６に図示された）アセンブリ１０を作り出すのに使用される１つの特定パターンを示している。異なる構成を持つアセンブリを作り出すには異なるパターンが使用されればよい。例えば、上記のように、織り出し部分（図７ではＤＣＯＵＴと表される）と織り込み部分（図７ではＤＣＩＮと表される）との長さは変化してもよい。織り出し及び織り込み部分の各々の長さはインチで示され、特定の区分が繰り返される回数は、ＬＥＮＧＴＨと記された縦列の左にある縦列に示されている。
【００４４】
いくつかの実施形態では、ハーネス１〜４及び６〜９に収納されるウェビング１４の縦糸はポリエステルであるが、縦糸はナイロンや、他の適当な材料又は材料の組合せでもよい。同様に、ウェビング１４を作り出すのに使用される横糸は、ポリエステル、ナイロン、又は他の適当な材料や材料の組合せでよい。
【００４５】
図１０は、ウェビング１４を作り出すように様々な縦糸及び横糸と織り合わされる前に予め織られるコード１２についての、非限定的なピック図を図示している。斜線の入ったます目５２は、コード１２のスロット区分２２を作るために二重横糸挿入（言い換えると、上記のように上側縦糸と織り合わされる第１横糸セットと、下側縦糸と織り合わされる第２横糸セット）を可能にする中間杼口ハーネス位置を表す。図１１は、コード１２の一実施形態の非限定的な製織プランを示す。
【００４６】
図１２は、締縛用コードアセンブリについての非限定的なピック図を示し、図１３は同じアセンブリについての非限定的なドロー図（ハーネスプラン）を示す。
【００４７】
図１４〜図１５は、ウェビング１４などのウェビングが全く使用されない締縛用コードアセンブリ１００の代替実施形態を示す。代わりに、上述したコード１２に類似した構成のスロット付きコード１１２が、折り返された布地又は他のファブリック１１４の間に挿入される。コード１１２は、切り欠き部分１１６でファブリック１１４から出る。
【００４８】
締縛用コードアセンブリ１０を車両シートに装着する方法も開示される。図６は、締縛用コードアセンブリ１０がファブリック、布地、又は他のカバー類３８に縫着されるか他の方法で装着されてから車両シートフレーム３２の下面３４に固定されるという非限定的な一実施形態を図示している。すなわち、図のように、様々な織り出し箇所でウェビング１４から出ているコード１２が、車両シートフレームの下面に存在する様々な係止具３６に掛けられるのである。ゆえに、シートフレームの設計と適合するように、織り出し部分は予め決められた間隔で離間している。織り出し及び織り込み部分の構成は、締縛用コードアセンブリ１０が本質的に汎用であっていくつかの異なるシートフレームの既設の係止具とともに使用されるように、選択されるとよい。非限定的な例において、織り出し部分はウェビング１４に沿っておよそ２インチごとに配置されるか、いくつかの異なるシートフレームとともに使用されるようにアセンブリを汎用とするのに充分な頻度で離間している。
【００４９】
いくつかの実施形態では、ウェビング１４の端部３０の間の装着箇所でコード１２の全体が係止具３６に掛けられる。ウェビング端部３０又はその付近において、コード１２がスロット区分２２で切断され、切断されたスロット区分の前のスロット区分２２のループ２８へ、ホグピン５０又は他の類似の装着構造が挿入される。こうして、ウェビングへの特殊な端部処理を必要とせずに、ウェビング１４の端部３０で締縛用コードアセンブリ１０がシートフレームに係止される。代わりに、ウェビング（及び装着されたファブリック又は布地）をシートフレーム３２に係止するのに、コード１２そのものが使用される。ウェビングの特殊な端部処理が必要ないため、締縛用コードアセンブリは調節可能であって、いかなる数のシート構成及び異なる寸法のシートとともに使用され得る。また、特殊な端部処理が必要とされないため、コードと締縛用コードアセンブリの両方がスプール又はロールにて用意されることが可能である。
【００５０】
開示されたトンネル状締縛コードアセンブリはロール又はスプールにて用意されることが可能であり、多様なシートフレームとともに使用されるという点で汎用の性質を持つため、顧客は１つの部品番号のみを注文して、特定の用途に合わせて必要な場所でアセンブリを切断すればよく、これは、顧客の施設において在庫を減らしてスペース及び保管の要件を軽減する。また、アセンブリの端部には付加的な加工が必要とされないため、コストが削減される。最後に、締縛用コードアセンブリはコードと織り合わされるため、コードとウェビングの別々のアセンブリは必要なく、労働コストを削減する。
【００５１】
図面に描かれるか上で説明された構成要素とともに、図示及び説明されていない構成要素及びステップを、異なる形で取り合わせることも可能である。同様に、いくつかの特徴及び部分的組合せが有用であって、他の特徴及び部分的組合せに言及することなく採用されてもよい。本発明の実施形態は限定目的ではなく例示のために説明されており、本特許を読んだ者には代替的な実施形態が明らかになるだろう。したがって、開示される発明は、上で説明されて図面に描かれた実施形態に限定されず、以下の請求項の範囲を逸脱することなく様々な実施形態及び変形例が可能である。
【符号の説明】
【００５２】
１０  締縛用コードアセンブリ
１２  コード
１４  ウェビング
１６  フラット部分
１８  トンネル部分
２０  フラット区分（接続区分）
２２  スロット区分
２４  上側部分
２６  下側部分
２８  ループ
３０  端部
３４  下面
３６  係止具
３８  カバー類
４０  縦糸
４２  第１横糸セット
４４  第２横糸セット
４６  織り出し箇所
４８  織り込み箇所
５０  ホグピン
５４  織り出し部分
５６  織り込み部分
１００  締縛用コードアセンブリ
１１２  スロット付きコード
１１４  ファブリック
１１６  切り欠き部分
【図２】
0005525025.tif 000002
【図３】
0005525025.tif 000003
【図４】
0005525025.tif 000004
【図５Ａ】
0005525025.tif 000005
【図５Ｂ】
0005525025.tif 000006
【図６】
0005525025.tif 000007
【図７】
0005525025.tif 000008
【図８】
0005525025.tif 000009
【図９】
0005525025.tif 000010
【図１０】
0005525025.tif 000011
【図１１】
0005525025.tif 000012
【図１２】
0005525025.tif 000013
【図１３】
0005525025.tif 000014
【図１４】
0005525025.tif 000015
【図１５】
0005525025.tif 000016
【図１】
0005525025.tif 000017